(57)【特許請求の範囲】
【請求項１】
ボルト、ボルト頭部側係合部材、及びボルト先端側係合部材から成り、ボルト頭部側係合部材は、前記ボルトの頭部の内側に隣接した状態で当該ボルトに対して相対回転自在に嵌合し、ボルト先端側係合部材は、前記ボルトが螺合貫通する貫通ネジ孔を備え、ボルト頭部側係合部材とボルト先端側係合部材とには、チエンリンクを係合させることが出来るフック部が設けられているチエン長さ調節金具において、前記ボルト先端側係合部材は、コの字形の本体と、前記貫通ネジ孔を備えた角柱型ナットから構成され、前記本体の互いに平行な両側板部には、前記貫通ネジ孔より大径の貫通孔が互いに同心状に設けられると共に、当該両側板部の先端近傍内側面には突起部が形成され、前記角柱型ナットは、前記貫通ネジ孔軸心方向両端が、前記本体の両側板部に隣接すると共に、当該角柱型ナットの一組の互いに平行な外側面の一方が前記本体の天板部の内側面に隣接し、且つ当該角柱型ナットの他方の外側面の両端部が前記突起部の内側に隣接するように、前記本体に横から差し込まれ、前記ボルトは、前記本体の一方の貫通孔から角柱型ナットの貫通ネジ孔に螺合貫通すると共に前記本体の他方の貫通孔から突出している、チエン長さ調節金具。
【請求項２】
前記ボルト先端側係合部材のフック部は、前記本体の天板部の片側の側辺から一体に連設された突出板部によって形成されている、請求項１に記載のチエン長さ調節金具。
【請求項３】
前記ボルト先端側係合部材のフック部は、前記本体の天板部の両側辺から一体に連設された一対の突出板部によって形成されている、請求項１に記載のチエン長さ調節金具。
【請求項４】
前記ボルト頭部側係合部材は、前記ボルト先端側係合部材から角柱型ナットを外したものと同じものを、逆向きにボルトに嵌合させて構成している、請求項１〜３の何れか１項に記載のチエン長さ調節金具。
【発明の詳細な説明】
【技術分野】
【０００１】
本発明は、仮設作業足場などの吊り下げや、コンクリート型枠の締結などのために、建設現場において使用されるチエン長さ調節金具に関するものである。
【背景技術】
【０００２】
仮設作業足場などの吊り下げや、コンクリート型枠の締結などのために、建設現場において使用されるチエンは、吊り下げられるものを一定高さに保つため、或いは確実な締結効果を得るために、チエン長さ調節金具が必要になる。この種のチエン長さ調節金具は、特許文献１にも記載されるように、チエンの長さ方向適当間隔を隔てた位置にあるチエンリンクに係合させることの出来るフック部を備えた一対の係合部材を、ネジ機構により互いに接近移動させて、一対の係合部材のフック部が係合する２つのチエンリンク間の間隔を狭めるものであるが、特許文献１に記載される従来のチエン長さ調節金具は、フック部を備えた一対の係合部材の内、ボルトが螺合貫通するナットを備えた係合部材が、ボルトに外嵌する一対の円筒部間で前記ナットを挟む構造であって、このナットの一つの外側面が、両円筒部をつなぐ部材に隣接することにより、当該ナットが回り止めされるように構成されていた。
【先行技術文献】
【特許文献】
【０００３】
【特許文献１】特開２００７−２８４９３３号公報
【発明の概要】
【発明が解決しようとする課題】
【０００４】
特許文献１に記載される構成では、一対の円筒部を曲げ加工により一体形成する板材を、当該円筒部の外側で互いに重ね合わせて、前記フック部を形成する構造であるため、前記ナットの回り止めとなる箇所は、２枚の板材が重なった部分の１か所となり、強力な回り止め効果が期待できない。又、ナットの両側にボルトが貫通する円筒部が存在する構造であるから、係合部材全体のボルト長さ方向の長さが大きくなり、この結果、一対のフック部間に必要な最大間隔を確保するためのボルトの全長が長くなってしまうという問題点もあった。
【課題を解決するための手段】
【０００５】
本発明は、上記のような従来の問題点を解消することのできるチエン長さ調節金具を提案するものであって、本発明に係るチエン長さ調節金具は、後述する実施例との関係を理解し易くするために、当該実施例の説明において使用した参照符号を括弧付きで付して示すと、ボルト(1)、ボルト頭部側係合部材(3)、及びボルト先端側係合部材(2)から成り、ボルト頭部側係合部材(3)は、前記ボルト(1)の頭部(1b)の内側に隣接した状態で当該ボルト(1)に対して相対回転自在に嵌合し、ボルト先端側係合部材(2)は、前記ボルト(1)が螺合貫通する貫通ネジ孔(10)を備え、ボルト頭部側係合部材(3)とボルト先端側係合部材(2)とには、チエンリンクを係合させることが出来るフック部(6)が設けられているチエン長さ調節金具において、前記ボルト先端側係合部材(2)は、コの字形の本体(4)と、前記貫通ネジ孔(10)を備えた角柱型ナット(5)から構成され、前記本体(4)の互いに平行な両側板部(8a,8b)には、前記貫通ネジ孔(10)より大径の貫通孔(12a,12b)が互いに同心状に設けられると共に、当該両側板部(8a,8b)の先端近傍内側面には突起部(11a,11b)が形成され、前記角柱型ナット(5)は、前記貫通ネジ孔(10)軸心方向両端が、前記本体(4)の両側板部(8a,8b)に隣接すると共に、当該角柱型ナット(5)の一組の互いに平行な外側面(5a,5b)の一方が前記本体(4)の天板部(7)の内側面に隣接し、且つ当該角柱型ナット(5)の他方の外側面(5b)の両端部が前記突起部(11a,11b)の内側に隣接するように、前記本体(4)に横から差し込まれ、前記ボルト(1)は、前記本体(4)の一方の貫通孔(12a)から角柱型ナット(5)の貫通ネジ孔(10)に螺合貫通すると共に前記本体(4)の他方の貫通孔(12b)から突出する構成になっている。
【発明の効果】
【０００６】
上記本発明の構成によれば、ボルト先端側係合部材に必要な貫通ネジ孔を、別部材である六角ナットや四角ナットなどの角柱型ナットを利用して、しかも溶接せずにこの角柱型ナットを組み込んで構成することが出来るのであるが、特にこの角柱型ナットの回り止めが、このボルト先端側係合部材を構成するコの字形の本体の天板部と、当該本体の両側板部から内側に突出する一対の突起部との３か所によって成されると共に、前記天板部が角柱型ナットの１つの外側面に広く面接触することによって、角柱型ナットを強力に回り止めすることが出来る。更に、角柱型ナットに必要な長さを持たせたとしても、当該ナットをコの字形本体の両側板部が挟み込む構造であるため、係合部材全体のボルト長さ方向の長さを抑えることが出来、この結果、ボルトの全長も短く出来る。
【０００７】
尚、本発明を実施するについて、前記ボルト先端側係合部材のフック部は、前記本体の天板部の片側の側辺から一体に連設された突出板部によって形成することが出来る。この構成によれば、コの字形本体の外側面にフック部材を溶接などで取り付ける場合と比較して、コストダウンを図ることが出来る。更に、前記ボルト先端側係合部材のフック部を、前記本体の天板部の両側辺から一体に連設された一対の突出板部によって形成することも可能である。この構成によれば、二枚の突出板部から曲げ強度の高いフック部が構成出来るだけでなく、コの字形の本体の天板部外側面の中央部にフック部を構成することも可能となる。従って、ボルト頭部側係合部材側のフック部と共に、両係合部材のフック部を、平面視においてボルトと重なる位置に配置出来るので、チエンの緊張操作を安定的に行うことが出来る。
【０００８】
本発明においては、ボルト頭部側係合部材は如何なる構造のものであっても良いが、以上のように構成される前記ボルト先端側係合部材から角柱型ナットを外したものと同じものを、逆向きにボルトに嵌合させて、ボルト頭部側係合部材を構成する場合は、ボルト先端側係合部材とは異なる構造のボルト頭部側係合部材を使用しなければならない場合と比較して、全体のコストダウンに役立たせることが出来る。
【図面の簡単な説明】
【０００９】
【図１】図１は、本発明の一実施例に係るチエン長さ調節金具の全体を示す側面図である。
【図２】図２Ａは、同平面図、図２Ｂは、別実施例を示す平面図である。
【図３】図３Ａは、図１のＸ-Ｘ線断面図、図３Ｂは、図１のＹ-Ｙ線断面図である。
【図４】図４は、ボルト先端側係合部材の分解斜視図である。
【図５】図５Ａは、ボルト先端側係合部材の本体の第一変形例を示す斜視図、図５Ｂは、同第二変形例を示す斜視図である。
【発明を実施するための形態】
【００１０】
図１〜図３において、１はボルト、２はボルト先端側係合部材、３はボルト頭部側係合部材である。ボルト先端側係合部材２は、コの字形本体４、角柱型ナット５、及びフック部６から構成されている。ボルト先端側係合部材２のコの字形本体４は、厚板（金属板）の曲げ加工によって構成されたもので、天板部７と、その前後両側辺から一体に下方へ折曲連設された互いに平行な両側板部８ａ，８ｂを備えており、フック部６は、天板部７の左右両側辺の一方から上方へ折曲連設された突出板部９によって形成されている。
【００１１】
角柱型ナット５は、その貫通ネジ孔１０の軸心方向全長が、コの字形本体４の両側板部８ａ，８ｂ間に丁度嵌合させることが出来る長さの六角ナットであって、この角柱型ナット５の互いに平行な一対の外側面５ａ，５ｂの内、一方の外側面５ａを、コの字形本体４の天板部７の内側面に隣接させるように、この角柱型ナット５をコの字形本体４の両側板部８ａ，８ｂ間に嵌合させたとき、他方の外側面５ｂの両端部に隣接するように、コの字形本体４の両側板部８ａ，８ｂの端部近傍内側面に突起部１１ａ，１１ｂが形成されている。これら突起部１１ａ，１１ｂは、図３Ｂにも示すように、隣接する角柱型ナット５の外側面５ｂの巾（周方向長さ）とほぼ同じ長さを有する突条形であり、両側板部８ａ，８ｂを外側から内側へ押し出すことにより形成している。
【００１２】
角柱型ナット５を、コの字形本体４の両側板部８ａ，８ｂ間で、天板部７と一対の突起部１１ａ，１１ｂとの間の中央位置まで横から嵌合させたとき、この角柱型ナット５の貫通ネジ孔１０と同心状に位置する、当該貫通ネジ孔１０より少し大径の貫通孔１２ａ，１２ｂが、コの字形本体４の両側板部８ａ，８ｂの穿設されている。従って、ボルト１の螺軸部１ａを、コの字形本体４の側板部８ａの貫通孔１２ａから差し込んで、角柱型ナット５の貫通ネジ孔１０に螺合貫通させると共に、当該貫通ネジ孔１０から突出するボルト１の螺軸部１ａを、コの字形本体４の側板部８ｂの貫通孔１２ｂを経由させて、当該側板部８ｂの外側へ突出させることが出来る。
【００１３】
ボルト頭部側係合部材３は、ボルト先端側係合部材２を構成するコの字形本体４から角柱型ナット５を外したものと同一のものを、前後逆向きで使用している。従って、ボルト頭部側係合部材３のフック部６は、ボルト先端側係合部材２のフック部６は、平面視において、ボルト１に対し互いに左右反対側に位置すると共に、両フック部６の先端は、側面視において、互いに向き合う状態になる。
【００１４】
組み立てに際しては、ボルト頭部側係合部材３を、そのコの字形本体４の側板部８ｂの貫通孔１２ｂから側板部８ａの貫通孔１２ａに向かってボルト１が挿通するように、ボルト１に対して嵌合させ、コの字形本体４の側板部８ｂをボルト１の頭部１ｂに隣接させる。ボルト１の頭部１ｂに隣接する領域には、ネジ溝を備えない円柱状軸部１ｃが形成されており、この円柱状軸部１ｃにボルト頭部側係合部材３が支持されるように構成されている。この後、ボルト先端側係合部材２が、上記のようにしてボルト１に組付けられるのであるが、最後に、ボルト先端側係合部材２から突出するボルト１の螺軸部１ａの先端部に、図示省略しているが、ネジ溝をつぶすカシメやピンの打ち込みなどから成る、ボルト先端側係合部材２の抜け止めが施される。
【００１５】
以上のように構成されたチエン長さ調節金具は、有効長さを縮めたいチエンの、適当間隔離れた位置にある２か所のチエンリンクのそれぞれに、ボルト先端側係合部材２のフック部６とボルト頭部側係合部材３のフック部６とを係合させ、ボルト頭部側係合部材３から突出しているボルト１の頭部１ｂを回転操作して、ボルト先端側係合部材２の角柱型ナット５に対してボルト１の螺軸部１ａを捻じ込み方向に回転させることにより、ボルト先端側係合部材２のフック部６とボルト頭部側係合部材３のフック部６との間の間隔を縮小させ、以て、両フック部６に係合しているチエンの２か所を互いに接近移動させて、当該チエンの有効長さを縮小させることが出来る。
【００１６】
尚、上記実施例では、ボルト先端側係合部材２とボルト頭部側係合部材３を、全く同一のコの字形本体４を使用して構成しているので、当該コの字形本体４の一側辺から突設されているフック部６が、図２Ａに示す平面視において、ボルト１に対し左右互いに反対側に位置することになる。従って、両フック部６に係合して緊張されるチエンの長さ方向（両フック部６を結ぶ方向）に対し、ボルト１が少し斜めに傾斜することになる。このような状態になるのを避けるために、図２Ｂに示すように、ボルト先端側係合部材２とボルト頭部側係合部材３のそれぞれに専用の、互いに反対側にフック部６を備えたコの字形本体４Ｘを使用することが出来る。
【００１７】
勿論、図５Ａに示すように、コの字形本体４の天板部７の中央位置に、フック部６を形成する突出板１３を溶接により固着することも出来る。更に、図５Ｂに示すように、コの字形本体４の天板部７の左右両側辺からフック部６を形成する突出板部９ａ，９ｂを、一体に折曲連設し、必要に応じて両突出板部９ａ，９ｂのフック部６を互いに重ね合わせることが出来る。この図５に示したコの字形本体４も、ボルト先端側係合部材２だけではなく、ボルト頭部側係合部材３にも使用することが出来るが、基本的には、ボルト頭部側係合部材３は如何なる構成のものであっても良い。
【産業上の利用可能性】
【００１８】
本発明のチエンの長さ調節金具は、建設現場において仮設使用される各種用途のチエンの有効長さを調節するための手段として活用出来る。
【符号の説明】
【００１９】
１    ボルト
２    ボルト先端側係合部材
３    ボルト頭部側係合部材
４，４Ｘ    コの字形本体
５    角柱型ナット
５ａ，５ｂ    角柱型ナットの互いに平行な外側面
６    フック部
７    コの字形本体の天板部
８ａ，８ｂ    コの字形本体の両側板部
９，９ａ，９ｂ    突出板部
１０    貫通ネジ孔
１１ａ，１１ｂ    突起部
１２ａ，１２ｂ    貫通孔
１３    突出板
【要約】
【課題】建設現場において使用される架設用チエンの有効長さを調節するためのチエン長さ調節金具を提供する。
【解決手段】コの字形の本体４の互いに平行な両側板部８ａ，８ｂには、貫通ネジ孔１０より大径の貫通孔１２ａ，１２ｂが互いに同心状に設けられると共に、両側板部の先端近傍内側面には突起部１１ａ，１１ｂが形成され、角柱型ナット５は、貫通ネジ孔軸心方向両端が、本体４の両側板部８ａ，８ｂに隣接すると共に、当該角柱型ナットの一組の互いに平行な外側面５ａ，５ｂの一方が本体の天板部７の内側面に隣接し、且つ角柱型ナットの他方の外側面５ｂの両端部が突起部１１ａ，１１ｂの内側に隣接するように、本体４に横から差し込まれ、ボルト１は、本体の一方の貫通孔１２ａから角柱型ナットの貫通ネジ孔１０に螺合貫通すると共に本体の他方の貫通孔１２ｂから突出する構成。
【選択図】図１【図１】
0005856328.tif 000002
【図２】
0005856328.tif 000003
【図３】
0005856328.tif 000004
【図４】
0005856328.tif 000005
【図５】
0005856328.tif 000006